(57)【要約】【課題】  樹脂材料からなる部材を有するサッシに対して、断熱性能を維持しながら、高い防火性能を付与する。【解決手段】一方の形材の内周面に他方の形材の端面を当接して四周に組まれており内周にパネル体が配置されているサッシであって、一方の形材及び他方の形材のガラス間口には、それぞれ間口補強部材が配置されており、他方の形材のガラス間口に配置された間口補強部材は、他方の形材の長さよりも長く、他方の形材の端部より突出しており、一方の形材及び他方の形材を四周に組んだ際に、他方の形材の間口補強部材は、一方の形材の間口補強部材に呑み込まれている。【選択図】図６
2020169517.tif 000002
【特許請求の範囲】
【請求項１】
一方の形材の内周面に他方の形材の端面を当接して四周に組まれており内周にパネル体が配置されているサッシであって、
一方の形材及び他方の形材のガラス間口には、それぞれ間口補強部材が配置されており、
他方の形材のガラス間口に配置された間口補強部材は、他方の形材の長さよりも長く、他方の形材の端部より突出しており、
一方の形材及び他方の形材を四周に組んだ際に、他方の形材の間口補強部材は、一方の形材の間口補強部材に呑み込まれているサッシ。
【発明の詳細な説明】
【技術分野】
【０００１】
建築物等の開口部に配置されるサッシに関する。
【背景技術】
【０００２】
従来、建築物の開口部に配置されるサッシとして、高い断熱性を有する樹脂枠及び樹脂框を備えるサッシが知られている。
【先行技術文献】
【特許文献】
【０００３】
【特許文献１】特開２０１６−１０８９０９号公報
【発明の概要】
【発明が解決しようとする課題】
【０００４】
特許文献１に示す樹脂サッシは、樹脂材料の特徴を生かして高い断熱性を有することができ、また、ある程度の防火性能を備えている。
しかし、近年、樹脂材料からなる部位を備える断熱サッシにおいて、さらに高い防火性能が求められるようになっている。
【０００５】
本発明は、上記の事情を鑑みたものであり、断熱性能とともに高い防火性能を備えるサッシを提供することを目的とする。
【課題を解決するための手段】
【０００６】
一実施形態は、一方の形材の内周面に他方の形材の端面を当接して四周に組まれており内周にパネル体が配置されているサッシであって、一方の形材及び他方の形材のガラス間口には、それぞれ間口補強部材が配置されており、他方の形材のガラス間口に配置された間口補強部材は、他方の形材の長さよりも長く、他方の形材の端部より突出しており、一方の形材及び他方の形材を四周に組んだ際に、他方の形材の間口補強部材は、一方の形材の間口補強部材に呑み込まれているサッシである。
【発明の効果】
【０００７】
本実施形態によれば、樹脂材料からなる部材を有するサッシに対して、高い防火性能を付与することができる。
【図面の簡単な説明】
【０００８】
【図１】一実施形態に係るサッシの外観図である。
【図２】一実施形態に係るサッシの取付状態における竪断面図である。
【図３】一実施形態に係るサッシの取付状態における横断面図である。
【図４】一実施形態に係るサッシの竪断面図である。
【図５】一実施形態に係るサッシの横断面図である。
【図６】一実施形態に係るサッシの障子の上框と竪框との接続部の拡大図であり、（ａ）は、通常時の分解横断面図であり、（ｂ）は、通常時の横断面図であり、（ｃ）は、正面図である。
【図７】一実施形態に係るサッシの障子の上框と竪框との接続部の拡大図であり、（ａ）（ｂ）は火災時の正面図である。
【発明を実施するための形態】
【０００９】
本発明の一実施形態に係るサッシについて、図面を参考にして説明する。
本実施形態のサッシは、図１に示すように、建物開口部に配置されている窓装置Ｂの室内側に配置される内窓Ａとして構成されており、枠体１０と、枠体１０に対して摺動自在に配置される内障子２０及び外障子３０を備えている。
【００１０】
枠体１０は、上枠１１，下枠１２及び左、右竪枠１３，１４を有しており、各枠材は枠組されることなく、上枠１１，下枠１２及び左、右竪枠１３，１４がそれぞれ建物開口部の内周面にビス等の固定手段によって固定されることで建物開口部の四周に亘る枠体１０が形成されている。
【００１１】
内障子２０は、上框２１、下框２２、左竪框（召合框）２３及び右竪框（戸先框）２４を四周に組んで、その内周にパネル体２５を取り付けて形成されており、外障子３０は、上框３１、下框３２、左竪框（戸先框）３３及び右竪框（召合框）３４を四周に組んで、その内周にパネル体３５を取り付けて形成されている。
【００１２】
そして、本実施形態の内窓Ａは、図２，３に示すように、予め建物開口部に配置されている建具Ｂの室内側に配置されること、例えば額部Ｃの内周に固定されることによって、二重サッシを構成し、建物開口部における断熱性能を高めることができる。なお、建物開口部に配置されている建具Ｂは、どのような建具であっても良く、ここではその説明を省略する。
【００１３】
（枠体の構成）
枠体１０の上枠１１は、図４に示すように、樹脂材料からなる略平板状の上枠本体１１１と、アルミ合金等の金属材料からなる上レール部材１１２を有している。そして、上レール部材１１２が上枠本体１１１の内周面(下面)に配置された状態で、上枠本体１１１と上レール部材１１２はビス等の固定手段ｂにより、建物開口部の額部Ｃの内周面（下面）に固定されている。
【００１４】
上枠本体１１１は、額部Ｃに固定される上枠固定部１１１ａと、上枠固定部１１１ａの室内側端から垂下する室内側壁部１１１ｂを有している。
【００１５】
上レール部材１１２は、上枠本体１１１と共に額部Ｃに固定される上レール固定部１１２ａと、上レール固定部１１２ａの室内側より下方に垂設される上内レール１１２ｂと、上レール固定部１１２ａの室外側より下方に垂設される上外レール１１２ｃを有している。
【００１６】
上枠１１の上内レール１１２ｂと上外レール１１２ｃとの間であって、内障子２０及び外障子３０の召合框２３，３４の上方位置にはヒレ状の風止め部を有する風止め部材７１が配置されている。
また、上枠１１の上内レール１１２ｂと上外レール１１２ｃとの間であって、見付け方向両端近傍の上方位置には火災時に内、外障子２０，３０の熱伸びを抑える上り止め金具８１が配置されている。
【００１７】
枠体１０の下枠１２は、図４に示すように、樹脂材料からなる略平板状の下枠本体１２１と、アルミ合金等の金属材料からなる下レール部材１２２を有している。そして、下レール部材１２２が下枠本体１２１の内周面（上面）に配置された状態で、下枠本体１２１と下レール部材１２２はビス等の固定手段ｂにより、建物開口部の額部Ｃの内周面（上面）に固定されている。
【００１８】
下枠本体１２１は、建物開口部に固定される下枠固定部１２１ａと、下枠固定部１２１ａの室内側端から上方に立設する室内側壁部１２１ｂを有している。
【００１９】
下レール部材１２２は、下枠本体１２１と共に額部Ｃに固定される下レール固定部１２２ａと、下レール固定部１２２ａの室内側より上方に立設する下内レール１２２ｂと、下レール固定部１２２ａの室外側より上方に立設する下外レール１２２ｃを有している。
下枠１２の下内レール１２２ｂと下外レール１２２ｃとの間であって、内障子２０及び外障子３０の召合框２３，３４の下方位置にはヒレ状の風止め部を有する風止め部材７２が配置されている。
【００２０】
枠体１０の左、右竪枠１３，１４は、図５に示すように、略平板状に形成されており、ビス等の固定手段ｂ，ｂにより、建物開口部の額部Ｃの内周面に固定されている。
【００２１】
左、右竪枠１３，１４は、建物開口部に固定される左、右竪枠固定部１３１ａ，１４１ａと、左、右竪枠固定部１３１ａ，１４１ａの見込み方向略中央位置から内周方向に突設される中央壁部１３１ｂ，１４１ｂと、左、右竪枠固定部１３１ａ，１４１ａの室内側端から内周方向に突設される室内側壁部１３１ｃ，１４１ｃと、左、右竪枠固定部１３１ａ，１４１ａの室外側端から内周方向に突設される室外側壁部１３１ｄ，１４１ｄとを有している。
【００２２】
中央壁部１３１ｂ，１４１ｂは、内周端に、室内外両側に延びるヒレ状の気密片ｓを有している。ヒレ状の気密片は、内障子２０もしくは外障子３０の閉鎖時において、内、外障子２０，３０の戸先框２４，３３に当接して、内、外障子２０，３０の閉鎖時における内障子２０と右竪枠１４との気密、外障子３０と左竪枠１３との気密を行っている。
【００２３】
左竪枠１３は、左竪枠固定部１３１ａの内周側であって中央壁部１３１ｂの室外側に金属材料からなる補強部材１３２を有しており、右竪枠１４は、右竪枠本体部１４１ａの内周面であって中央壁部１４１ｂの室内側に金属材料からなる補強部材１４２を有している。
【００２４】
左竪枠１３の補強部材１３２は、アルミ合金やスチール等の金属材料からなり、中央壁部１３１ｂの室外側面に沿う見付壁と左竪枠固定部１３１ａの内周面に沿う見込壁を有する断面略Ｌ字状の長尺部材であり、左竪枠１３の全長に亘って配置されている。
右竪枠１４の補強部材１４２は、アルミ合金やスチール等の金属材料からなり、中央壁部１４１ｂの室内側面に沿う見付壁と右竪枠本体部１４１ａの内周面に沿う見込壁を有する断面略Ｌ字状の長尺部材であり、右竪枠１４の全長に亘って配置されている。
【００２５】
そして、左竪枠１３の補強部材１３２の見付壁の室外側面に、外障子３０の戸先框３３の戸先端部の室内側面に対向するように熱膨張耐火材ｆが配置されており、右竪枠１４の補強部材１４２の見付壁の室内側面に、内障子２０の戸先框２４の戸先端部の室外側面に対向するように熱膨張耐火材ｆが配置されている。
【００２６】
左、右竪枠１３，１４に配置された補強部材１３２，１４２は、それぞれ左、右竪枠１３，１４を固定する固定手段ｂ，ｂによって、左、右竪枠固定部１３１ａ，１４１ａとともに建物開口部に固定されている。
【００２７】
本実施形態のサッシの枠体１０を建物開口部に固定するに際しては、例えば、左竪枠１３→下枠１２→右竪枠１４→上枠１１の順番で建物開口部の四周に配置、固定することで、枠体１０を建物開口部の四周に対して配置することができる。
このとき、建物開口部の四隅において、横枠（上枠１１，下枠１２）の少なくとも上内レール１１２ｂ、上外レール１１２ｃ及び下内レール１２２ｂ、下外レール１２２ｃの一部、もしくは、竪枠（左竪枠１３，右竪枠１４）の中央壁部１３１ｂ，１４１ｂの一部を切欠くこと等によって、上枠１１，下枠１２及び左、右竪枠１３，１４同士が取付けに際して干渉することを防止することができる。
【００２８】
（内障子の構成）
内障子２０の上框２１は、図４に示すように、樹脂材料からなる上框本体２１１と、アルミ合金等の金属材料からなる補強芯材２１２を有している。
【００２９】
上框本体２１１は、パネル体２５を保持するためのガラス間口２１１ａと、ガラス間口２１１ａの外周側に形成され上内レール１１２ｂに案内される開口部２１１ｂを有し、開口部２１１ｂを構成する室内、外側壁の上端には上内レール１１２ｂに当接もしくは近接する気密片が設けられている。
【００３０】
内障子２０の上框２１は、ガラス間口２１１ａ内にスチール等の金属材料からなる間口補強部材２１３が配置されており、パネル体２５が、間口補強部材２１３及び難燃性のグレイジングチャンネル２１９を介してガラス間口２１１ａに保持されている。
内障子２０の上框２１は、開口部２１１ｂ内に補強芯材２１２が配置されており、補強芯材２１２は、開口部２１１ｂ内に配置されて開口部を補強する開口部補強部材として機能している。
【００３１】
補強芯材２１２の内側には、ステンレス等の金属材料からなる補強部材２１４が配置されており、補強部材２１４は、開口部を補強する開口部補強部材として機能している。
開口部２１１ｂに配置された補強芯材２１２及び補強部材２１４と、ガラス間口２１１ａに配置された間口補強部材２１３は、上框本体２１１の開口部２１１ｂの底壁を間に挟んで連結手段により連結されている。
【００３２】
ガラス間口２１１ａ内に配置される間口補強部材２１３は、パネル体２５の端面に対向する底壁と、パネル体２５の縁部の室内外側面に対向する室内外壁を有する断面略Ｕ字状をしており、室内外壁の内側面及び外側面には、熱膨張耐火材が取り付けられている。
【００３３】
開口部２１１ｂ内に配置される補強芯材２１２は、開口部２１１ｂの底部に沿って配置される底壁部２１２ａと、底壁部２１２ａの室内側端部に連続して開口部２１１ｂの室内壁に沿って延びる室内壁部２１２ｂと、底壁部２１２ａの室外側端部に連続して開口部２１１ｂの外側壁に沿って延びる室外壁部２１２ｃを有している。
【００３４】
補強芯材２１２の底壁部２１２ａの下面に熱膨張耐火材が配置されており、室内壁部２１２ｂ及び室外壁部２１２ｃの上端近傍の内周側面に熱膨張耐火材が配置されている。
補強芯材２１２の内側に配置された補強部材２１４の内側底面に、熱膨張耐火材が配置されている。
【００３５】
内障子２０の下框２２は、図４に示すように、樹脂材料からなる下框本体２２１と、アルミ合金等の金属材料からなり下框本体２２１内に配置される第１補強芯材２２２及び第２補強芯材２２３を有している。
【００３６】
下框本体２２１は、内周側のガラス間口２２１ａと、ガラス間口２２１ａの外周に配置される中空部２２１ｂと、外周側の開口部２２１ｃとを有している。
【００３７】
第１補強芯材２２２は、断面略矩形の中空形状をなしており、下框本体２２１の中空部２２１ｂ内に配置されている。第２補強芯材２２３は、矩形中空部と下方に開口する開口部を備える断面形状をなしており、下框本体２２１の開口部２２１ｃの開口内に配置されている。
【００３８】
第１補強芯材２２２の中空部内には、スチール等からなる断面略Ｕ字状の第１補強部材２２４が外周方向に開口するように配置され、第２補強芯材２２３の中空部内及び開口部内には、断面略Ｕ字状の第２補強部材２２５及び第３補強部材２２６がそれぞれ室内方向に開口するように配置されている。
【００３９】
ガラス間口２２１ａ内には、スチール等の金属材料からなり、パネル体２５の端面に対向する底壁と、パネル体２５の縁部の室内外側面に対向する室内外壁を有する断面略Ｕ字状の間口補強部材２２７が配置されており、パネル体２５が、間口補強部材２２７及び難燃性のグレイジングチャンネル２２９を介してガラス間口２２１ａに保持されている。
間口補強部材２２７と第１補強芯材２２２及び第１補強部材２２４は、ガラス間口２２１ａの底壁を挟んで連結手段を介して連結されている。
【００４０】
また、第１補強芯材２２２と第２補強芯材２２３及び第２補強部材２２５は、下框本体２２１の中空部２２１ｂの底壁を挟んで連結手段により連結されており、第２補強部材２２５と第３補強部材２２６は、第２補強芯材２２３の中間壁２２３ａを間に挟んで連結手段により連結されている。
下框本体２２１の開口部２２１ｃの所定位置には、下内レール１２２ｂ上を走行する車輪９２が配置され、内障子２０は、下内レール１２２ｂ上を走行自在に配置されている。
【００４１】
内障子２０の右竪框（戸先框）２４は、図５に示すように、断面略矩形の中空部を有する右竪框本体部２４１ｂと、右竪框本体部２４１ｂの内周側に形成されパネル体２５を保持するためのガラス間口２４１ａを有している。
【００４２】
右竪框本体部２４１ｂの中空部内には、スチール等の金属材料からなり、見込壁と室内側見付壁と室外側見付壁を有する断面略Ｕ字状の第１補強部材（開口部補強部材）２４２が外周側に向けて開口するように配置されている。
第１補強部材２４２の見込壁の内側面と室内側見付壁の室外側面（内側面）と室外側見付壁の室内側面（内側面）には、それぞれ熱膨張耐火材ｆが配置されている。
また、第１補強部材２４２の見込壁のガラス間口側面と右縦框本体２４１との間に、熱膨張耐火材ｆが配置されている。
【００４３】
ガラス間口２４１ａ内には、スチール等の金属材料からなりパネル体２５の端面に対向する底壁と、パネル体２５の縁部の室内外側面に対向する室内外壁を有する断面略Ｕ字状の間口補強部材２４３が配置されており、パネル体２５が、間口補強部材２４３及び難燃性のグレイジングチャンネル２４９を介してガラス間口２４１ａに保持されている。
【００４４】
第１補強部材２４２と間口補強部材２４３とは、右竪框本体部２４１ｂの内周側の壁部を挟んで連結手段により連結されている。
なお、右竪框本体部２４１ｂの中空部内に配置される第１補強部材２４２は、略Ｕ字状の断面形状に限らず、例えば、断面略矩形のホロー構造等でもよい。
【００４５】
内障子２０の左竪框（召合框）２３は、樹脂材料からなり、図５に示すように、中空部を有する左竪框本体部２３１ｂと左竪框本体部２３１ｂの室外側内周に形成されるガラス間口２３１ａを有しており、外周側面が室外側に延びて外障子３０の召合框３４に当接もしくは近接する気密片２３１ｃが形成されている。
また、左竪框２３の外周面には防火クレセント錠６１が取り付けられている。
【００４６】
左竪框本体部２３１ｂの中空部内には、スチール等の金属材料からなりガラス間口２３１ａの底壁に沿う見込面部と左竪框本体部２３１ｂの室外側面に沿う見付面部と外周側の見込面部を有する第１補強部材２３２を有している。
【００４７】
一方、ガラス間口２３１ａ内には、パネル体２５の端面に対向する底壁と、パネル体２５の縁部の室内外側面に対向する室内外壁を有する断面略Ｕ字状の間口補強部材２３４が内周側に向けて開口するように配置されており、間口補強部材２３４の室内外壁には熱膨張耐火材ｆが配置されている。そして、パネル体２５が、間口補強部材２３４及び難燃性のグレイジングチャンネル２３９を介してガラス間口２３１ａに保持されている。
【００４８】
第１補強部材２３２と間口補強部材２３４は、ガラス間口２３１ａの内周側の壁及び熱膨張耐火材ｆを間に挟んで連結手段により連結されている。また、第１補強部材２３２の適宜部位に、熱膨張耐火材ｆが配置されている。
なお、内障子２０に使用されるパネル体２５は、耐火性、耐熱性を有するガラス、例えば、結晶化ガラスにより形成されている。
【００４９】
（外障子の構成）
以下に、外障子３０について説明するが、外障子３０と内障子２０とは、上下枠および戸先框について基本的にその構成を同じくするものであるから、ここでは、特に外障子３０の召合框３４について説明し、内障子２０の構成と同様の構成については、その説明を省略する。
【００５０】
外障子３０の右竪框（召合框）３４は、樹脂材料からなり、図５に示すように、中空部を有する右竪框本体部３４１ｂと右竪框本体部３４１ｂの内周側に形成されるガラス間口３４１ａを有しており、外周側面が室内側に延びて内障子２０の召合框２３に当接もしくは近接する気密片３４１ｃが形成されている。
また、右竪框（召合框）３４の室内側面に防火クレセント受け６２が設けられている。
【００５１】
右竪框（召合框）３４の右竪框本体部３４１ｂの中空部内には、スチール等の金属材料からなりガラス間口３４１ａの底壁に沿う見込面部と右竪框本体部３４１ｂの室内側面に沿う見付面部と外周側の見込面部を有する第１補強部材３４２が配置されている。
【００５２】
ガラス間口３４１ａ内には、パネル体２５の端面に対向する底壁と、パネル体２５の縁部の室内外側面に対向する室内外壁を有する断面略Ｕ字状の間口補強部材３４３が内周側に向けて開口するように配置されており、間口補強部材３４３の室内外壁には熱膨張耐火材が配置されている。そして、パネル体３５が、間口補強部材３４３及び難燃性のグレイジングチャンネル３４９を介してガラス間口３４１ａに保持されている。
【００５３】
第１補強部材３４２と間口補強部材３４３は、右竪框本体部３４１ｂの内周側の壁及び熱膨張耐火材を間に挟んで連結手段により連結されている。また、第１補強部材３４２の見付面部の室外側面には、火災時の加熱により膨張する熱膨張耐火材ｆが配置されている。
【００５４】
以上のように、本実施形態の樹脂内窓は防火性能を備えるものであるが、さらに、本実施形態の樹脂内窓の框材の接続部分の防火構造について、図６，７を示しながら、内障子２０の戸先框２４と上框２１との接続部分を用いて説明する。
【００５５】
内障子２０は、左、右竪框（竪材）２３，２４の内周面に上、下框（横材）２１，２２の端面が当接し、左、右竪框２３，２４の外周側からタッピングビス等によって横框がビス止め固定されることで四周組されている。
【００５６】
右竪框２４は、図６（ａ），（ｂ）に示すように、ガラス間口２４１ａを構成する室内側間口壁２４１ｃおよび室外側間口壁２４１ｄの内周側にそれぞれ見込面部２４１ｅ，２４１ｆを有しており、見込面部２４１ｅ，２４１ｆに上框２１の左右両側端面が当接した状態でビス止め固定されている。
なお、図６において、グレイジングチャンネルは省略されている。
【００５７】
右竪框２４は、室内側の見込面部２４１ｅの室内側端および室外側の見込面部２４１ｆの室外側端が内周側に屈曲して見付壁部２４１ｇ，２４１ｈが形成されており、室内側間口壁２４１ｃおよび室外側間口壁２４１ｄの内側面に突出部２４１ｉ，２４１ｊが設けられている。
【００５８】
右竪框２４のガラス間口２４１ａに配置された間口補強部材２４３は、図６（ｃ）に示すように、ビス止め固定された上框２１のガラス間口２１１ａに配置された間口補強部材２１３に対向する位置からビス止め固定された下框２２のガラス間口２２１ａに対向する位置まで配置されている。
【００５９】
間口補強部材２４３は、底壁部２４３ａと、室内側壁部２４３ｂおよび室外側壁部２４３ｃからなる断面略Ｕ字状をしており、室内側壁部２４３ｂおよび室外側壁部２４３ｃの内側に熱膨張耐火材ｆ１，ｆ１が配置されている。
そして、間口補強部材２４３は、右竪框２４の室内側間口壁２４１ｃおよび室外側間口壁２４１ｄの内側面に設けられた突出部２４１ｉ，２４１ｊによってガラス間口２４１ａ内に保持されている。
なお、記載を省略されているグレイジングチャンネルについても、突出部２４１ｉ，２４１ｊによってガラス間口２４１ａ内からの外れが抑制されている。
【００６０】
上框２１の戸先側端面と右竪框２４の見込面部２４１ｅ，２４１ｆとの当接部は、見付壁部２４１ｇ，２４１ｈに覆われることで室内外に露出せず、また、見付壁部２４１ｇ，２４１ｈによって上框２１の戸先側端面が見込面部２４１ｅ，２４１ｆから外れることが防止されている。
【００６１】
上框２１のガラス間口２１１ａに配置される間口補強部材２１３は、底壁部２１３ａと、室内側壁部２１３ｂおよび室外側壁部２１３ｃからなる断面略Ｕ字状をしており、底壁部２１３ａには熱膨張耐火材ｆ２が配置されている。
【００６２】
そして、間口補強部材２１３は、上框２１の長さ寸法よりも長い長さ寸法を有し、上框２１の左右端面から突出している。
間口補強部材２１３は、上框２１が右竪框２４に接続されることで、右竪框２４のガラス間口２４１ａ内に入り込み、さらに間口補強部材２４３の室内側壁部２４３ｂおよび室外側壁部２４３ｃの間に入り込み、底壁部２４３ａの近傍に達している。
なお、必要に応じて、右竪框２４は、上框２１の間口補強部材２１３が入り込む位置の突出部２４１ｉ，２４１ｊが切欠かれていてもよい。
【００６３】
したがって、上框２１のガラス間口２１１ａに配置された間口補強部材２１３の室内側壁部２１３ｂおよび室外側壁部２１３ｃは、右竪框２４のガラス間口２４１ａに配置された間口補強部材２４３の室内側壁部２４３ｂおよび室外側壁部２４３ｃと見込み方向で重複し、パネル体２５の四周に連続して補強部材が配置される。
【００６４】
そして、右竪框２４のガラス間口２４１ａに配置される間口補強部材２４３は、上框２１のガラス間口２１１ａ及びガラス間口２１１ａに配置される間口補強部材２１３に対向するように、底壁部２４３ａに熱膨張耐火材ｆ３が配置されている。
【００６５】
以上のように、本実施形態の樹脂内窓は、横框のパネル間口内に断面略Ｕ字状の間口補強部材を配置するとともに、間口補強部材の両端部を横材の端部から突出させて竪材のパネル間口内に配置される断面略Ｕ字状の間口補強部材に対して見込み方向で重複させているので、框材の四周にわたって切れ目なく補強部材を配置することができ、火災時に竪框材の補強部材と横框材の補強部材がずれることを抑制することができる。
【００６６】
さらに、竪框の間口補強部材２４３の上框２１の間口補強部材２１３に対向する部分に熱膨張耐火材ｆ３を配置することによって、図７（ａ），（ｂ）に示すように、上框２１の間口補強部材２１３の底壁部２１３ａに配置された熱膨張耐火材ｆ２及び右竪框２４の間口補強部材２４３の室内側壁部２４３ｂおよび室外側壁部２４３ｃの内側に配置された熱膨張耐火材ｆ１，ｆ１が発泡することによっては十分に塞ぐことのできない補強部材とパネル体との隙間Ａを、底壁部２４３ａに配置された熱膨張耐火材ｆ３が発泡することで塞ぐことができ、上框２１の熱膨張耐火材ｆ２の発泡領域Ｓ２と右竪框２４の熱膨張耐火材ｆ１の発泡領域Ｓ１を連続させて四周にわたって隙間のない防火ラインを構成することができる。
【００６７】
なお、本実施形態は、室外側に既設のサッシが配置された建物開口部の室内側に配置される内窓として説明されているが、単独で建物開口部に配置されるサッシに対して採用することもできる。
また、本実施形態は、竪材の内周面に横材の端面が当接して組まれるサッシを例にして説明しているが、横材の内周面に竪材の端面が当接して組まれるサッシであってもよい。
【００６８】
さらに、本発明において、内障子及び外障子の構成は、上記実施形態に限定されるものではなく、本発明の要旨を変更しない範囲において、如何なる障子も用いることができる。
また、障子の框材を補強する補強部材や補強芯材の断面形状は、実施形態に示す断面形状に限定されるものではなく、補強部材や補強芯材に配置される熱膨張耐火材の位置も限定されるものではない。
【００６９】
なお、以上の実施形態は，請求項に記載された発明を限定するものではなく，例示として取り扱われることは言うまでもない。
【符号の説明】
【００７０】
２１      ：上框
２１１    ：上框本体
２１１ａ  ：ガラス間口
２１３    ：間口補強部材
２１３ａ  ：底壁部
２１３ｂ  ：室内側壁部
２１３ｃ  ：室外側壁部
２４      ：右竪框
２４１    ：右縦框本体
２４１ａ  ：ガラス間口
２４３    ：間口補強部材
２４３ａ  ：底壁部
２４３ｂ  ：室内側壁部
２４３ｃ  ：室外側壁部
ｆ１−ｆ３：熱膨張耐火材
【図１】
2020169517.tif 000003
【図２】
2020169517.tif 000004
【図３】
2020169517.tif 000005
【図４】
2020169517.tif 000006
【図５】
2020169517.tif 000007
【図６】
2020169517.tif 000008
【図７】
2020169517.tif 000009